(57)【特許請求の範囲】
【請求項１】
衣服に取り付けられた読み書き可能なデータキャリアに対して、衣服の回収の度に非接触でデータの書き込みをするデータ書き込み手段を有し、
上記データキャリアは、
上記衣服のボタン形状に構成され、該衣服のボタンと兼用され、
上記データキャリアの取り付けられた上記衣服は、
繊維製品販売業者からリネンサプライ業者に納品された後、さらにリネンサプライ業者から病院等のユーザに納品され、その後、該ユーザから上記リネンサプライ業者に繰り返しクリーニングに出され、
上記データ書き込み手段は、
上記リネンサプライ業者に設けられるとともに、上記衣服が上記ユーザから上記リネンサプライ業者に繰り返しクリーニングに出される都度、その衣服のデータキャリアに対しデータの読み書きを行うこと
を特徴とする衣服回収システム。
【請求項２】
衣服に取り付けられた読み書き可能なデータキャリアに対して、衣服の回収の度に非接触でデータの書き込みをするデータ書き込み手段と、
上記データ書き込み手段で上記データキャリアに対するデータの書き込みがある度に書き込みデータを更新する書き込みデータ更新手段を有し、
上記データキャリアは、
上記衣服のボタン形状に構成され、上記衣服のボタンと兼用され、
上記データキャリアの取り付けられた上記衣服は、
繊維製品販売業者からリネンサプライ業者に納品された後、さらにリネンサプライ業者から病院等のユーザに納品され、その後、該ユーザから上記リネンサプライ業者に繰り返しクリーニングに出され、
上記データ書き込み手段は、
上記リネンサプライ業者に設けられるとともに、上記衣服が上記ユーザから上記リネンサプライ業者に繰り返しクリーニングに出される都度、その衣服のデータキャリアに対しデータの読み書きを行うこと
を特徴とする衣服回収システム。
【請求項３】
衣服に取り付けられた読み書き可能なデータキャリアに対して、衣服の回収の度に非接触でデータの書き込みをするデータ書き込み手段と、
上記データ書き込み手段で上記データキャリアに対するデータの書き込みがある度に書き込みデータを更新する書き込みデータ更新手段と、
上記書き込みデータ更新手段で更新された書き込みデータに基づいて回収される衣服についての情報を収集する衣服情報収集手段を有し、
上記データキャリアは、
上記衣服のボタン形状に構成され、該衣服のボタンと兼用され、
上記データキャリアの取り付けられた上記衣服は、
繊維製品販売業者からリネンサプライ業者に納品された後、さらにリネンサプライ業者から病院等のユーザに納品され、その後、該ユーザから上記リネンサプライ業者に繰り返しクリーニングに出され、
上記データ書き込み手段は、
上記リネンサプライ業者に設けられるとともに、上記衣服が上記ユーザから上記リネンサプライ業者に繰り返しクリーニングに出される都度、その衣服のデータキャリアに対しデータの読み書きを行うこと
を特徴とする衣服回収システム。
【請求項４】
上記書き込みデータ更新手段で更新される書き込みデータは、
新たに回収される度に積算更新される回数データと、
毎回の回収毎に更新される日時データと、
を含むことを特徴とする請求項２または請求項３記載の衣服回収システム。
【請求項５】
上記衣服情報収集手段で収集される衣服情報は、衣服の耐洗回数情報であることを特徴とする請求項３記載の衣服回収システム。
【請求項６】
衣服に取り付けられた読み書き可能なデータキャリアに対して、非接触でデータの書き込みをするデータ書き込み手段を有し、
上記データキャリアは、
上記衣服のボタン形状に構成され、該衣服のボタンと兼用され、
上記データキャリアの取り付けられた上記衣服は、
繊維製品販売業者からリネンサプライ業者に納品された後、さらにリネンサプライ業者から病院等のユーザに納品され、その後、該ユーザから上記リネンサプライ業者に繰り返しクリーニングに出され、
上記データ書き込み手段は、
上記リネンサプライ業者に設けられるとともに、上記衣服が上記ユーザから上記リネンサプライ業者に繰り返しクリーニングに出される都度、その衣服のデータキャリアに対しデータの読み書きを行うこと
を特徴とする衣服回収システム。
【請求項７】
衣服に取り付けられた読み書き可能なデータキャリアに対して、非接触でデータの書き込みをするデータ書き込み手段と、
上記データ書き込み手段で上記データキャリアに対するデータの書き込みがある度に書き込みデータを更新する書き込みデータ更新手段を有し、
上記データキャリアは、
上記衣服のボタン形状に構成され、該衣服のボタンと兼用され、
上記データキャリアの取り付けられた上記衣服は、
繊維製品販売業者からリネンサプライ業者に納品された後、さらにリネンサプライ業者から病院等のユーザに納品され、その後、該ユーザから上記リネンサプライ業者に繰り返しクリーニングに出され、
上記データ書き込み手段は、
上記リネンサプライ業者に設けられるとともに、上記衣服が上記ユーザから上記リネンサプライ業者に繰り返しクリーニングに出される都度、その衣服のデータキャリアに対しデータの読み書きを行うこと
を特徴とする衣服管理システム。
【請求項８】
衣服に取り付けられた読み書き可能なデータキャリアに対して、非接触でデータの書き込みをするデータ書き込み手段と、
上記データ書き込み手段で上記データキャリアに対するデータの書き込みがある度に書き込みデータを更新する書き込みデータ更新手段と、
上記書き込みデータ更新手段で更新された書き込みデータを基づいて衣服についての情報を収集する衣服情報収集手段を有し、
上記データキャリアは、
上記衣服のボタン形状に構成され、該衣服のボタンと兼用され、
上記データキャリアの取り付けられた上記衣服は、
繊維製品販売業者からリネンサプライ業者に納品された後、さらにリネンサプライ業者から病院等のユーザに納品され、その後、該ユーザから上記リネンサプライ業者に繰り返しクリーニングに出され、
上記データ書き込み手段は、
上記リネンサプライ業者に設けられるとともに、上記衣服が上記ユーザから上記リネンサプライ業者に繰り返しクリーニングに出される都度、その衣服のデータキャリアに対しデータの読み書きを行うこと
を特徴とする衣服管理システム。
【発明の詳細な説明】
【０００１】
【産業上の利用分野】
本発明は衣服回収システムおよび衣服管理システムに関し、特に衣服にデータキャリアを取り付けて衣服を回収したり管理する衣服回収システムおよび衣服管理システムに関する。
【０００２】
【従来の技術】
例えば病院の医師や看護婦の使用する制服（以下、この制服をリネン材と呼ぶことがある）は、クリーニングのために定期的にリネンサプライ業者に出されるが、リネン材のクリーニングに耐えられる回数（耐洗数）には制限がある。
【０００３】
従って、従来では、リネンサプライ業者側で、クリーニングに出されたリネン材の個々の寿命を判断し、その結果を病院側に通知して新しいリネン材と交換していた。
【０００４】
【発明が解決しようとする課題】
しかしながら、上記のごとき従来のリネン材の交換方法では、以下のごとき不具合があった。
（１）病院側では、いつ来るか分からない寿命のために、高価なリネン材をある程度の数、在庫として抱える必要があり、コスト高となる。
（２）リネン材として洗濯に耐えられる回数である耐洗数についての管理は何もなされていない。
（３）使用の可否の判断はリネンサプライ業者の現場の作業員に任されており、判断にバラツキがある。
この発明は、上記のごとき従来の不具合に鑑みてなされたもので、その目的とするところは、例えば耐洗数に近づくと自動的に事前通知を行うことのできる衣服回収システムおよび衣服管理システムを提供することにある。
【０００５】
【課題を解決するための手段】
上記目的を達成するために、
請求項１の衣服回収システムは、
衣服に取り付けられた読み書き可能なデータキャリアに対して、衣服の回収の度に非接触でデータの書き込みをするデータ書き込み手段、
を有することを特徴とする。
【０００６】
請求項２の衣服回収システムは、
衣服に取り付けられた読み書き可能なデータキャリアに対して、衣服の回収の度に非接触でデータの書き込みをするデータ書き込み手段と、
上記データ書き込み手段で上記データキャリアに対するデータの書き込みがある度に書き込みデータを更新する書き込みデータ更新手段と、
を有することを特徴とする。
【０００７】
請求項３の衣服回収システムは、
衣服に取り付けられた読み書き可能なデータキャリアに対して、衣服の回収の度に非接触でデータの書き込みをするデータ書き込み手段と、
上記データ書き込み手段で上記データキャリアに対するデータの書き込みがある度に書き込みデータを更新する書き込みデータ更新手段と、
上記書き込みデータ更新手段で更新された書き込みデータに基づいて回収される衣服についての情報を収集する衣服情報収集手段と、
を有することを特徴とする。
【０００８】
請求項４の衣服回収システムは、請求項２または請求項３記載の衣服回収システムであって、
上記書き込みデータ更新手段で更新される書き込みデータは、
新たに回収される度に積算更新される回数データと、
毎回の回収毎に更新される日時データと、
を含むことを特徴とする。
【０００９】
請求項５の衣服回収システムは、請求項３記載の衣服回収システムであって、
上記衣服情報収集手段で収集される衣服情報は、衣服の耐洗回数情報
であることを特徴とする。
【００１１】
請求項６の衣服管理システムは、
衣服に取り付けられた読み書き可能なデータキャリアに対して、非接触でデータの書き込みをするデータ書き込み手段、
を有することを特徴とする。
【００１２】
請求項７の衣服管理システムは、
衣服に取り付けられた読み書き可能なデータキャリアに対して、非接触でデータの書き込みをするデータ書き込み手段と、
上記データ書き込み手段で上記データキャリアに対するデータの書き込みがある度に書き込みデータを更新する書き込みデータ更新手段と、
を有することを特徴とする。
【００１３】
請求項８の衣服管理システムは、
衣服に取り付けられた読み書き可能なデータキャリアに対して、非接触でデータの書き込みをするデータ書き込み手段と、
上記データ書き込み手段で上記データキャリアに対するデータの書き込みがある度に書き込みデータを更新する書き込みデータ更新手段と、
上記書き込みデータ更新手段で更新された書き込みデータに基づいて衣服についての情報を収集する衣服情報収集手段と、
を有することを特徴とする。
【００１４】
【作用】
この発明では、データ書き込み手段でデータキャリアの取り付けられた衣服に対して衣服の回収の度にデータの書き込みをする。
【００１５】
ここで、書き込みデータ更新手段を設けて、上記データ書き込み手段で上記データキャリアに対するデータの書き込みがある度に書き込みデータを更新するようにすることができる。
【００１６】
また、さらに衣服情報収集手段を設けて、上記書き込みデータ更新手段で更新された書き込みデータに基づいて回収される衣服についての情報を収集するようにすることができる。
【００１７】
【実施例】
以下、本発明の実施例を図面に基づいて説明する。
【００１８】
なお、以下の説明では、本発明に係るシステムを、リネンサプライ業者がクリーニングのためにリネン材を回収するシステムに適用した場合について説明する。
【００１９】
まず、本システムの全体的な構成を説明すると、本システムは、リネン材を使用する病院１０と、リネンサプライ業者２０と、繊維製品販売業者３０より構成され、リネンサプライ業者２０には、営業部門２１、工場部門２２、集配部門２３、在庫部門２４が含まれる。
【００２０】
ここで、リネンサプライ業者２０を構成する各部門間はコンピュータを中心として構成されるＬＡＮによって接続され、病院１０とリネンサプライ業者２０の間、およびリネンサプライ業者２０と繊維製品販売業者３０の間は電話回線等で接続されている。
【００２１】
各システム間を流れる情報の内容を簡単に説明すると、以下のようになる。
（Ａ）病院１０とリネンサプライ業者２０の営業部門２１との間を流れる情報Ａは、制服変更時期の案内や配送の問い合わせ等がある。
（Ｂ）リネンサプライ業者２０の営業部門２１と工場部門２２との間を流れる情報Ｂは、工場出荷日時の問い合わせや制服変更時期の案内等がある。
（Ｃ）リネンサプライ業者２０の営業部門２１と集配部門２３との間を流れる情報Ｃは、配送の問い合わせ等がある。
（Ｄ）リネンサプライ業者２０の工場部門２２と在庫部門２４との間を流れる情報Ｄは、在庫品投入依頼や在庫内容の問い合わせ等がある。
（Ｅ）リネンサプライ業者２０の工場部門２２と繊維製品販売業者３０との間を流れる情報Ｅは、耐洗数の結果報告や制服変更時期の案内等がある。
（Ｆ）リネンサプライ業者２０の営業部門２１と繊維製品販売業者３０との間を流れる情報Ｆは、契約内容変更依頼等がある。
【００２２】
上記のごとく、本システムでは、リネン材を使用する病院１０とリネンサプライ業者２０との間、リネンサプライ業者２０と繊維製品販売業者３０との間、およびリネンサプライ業者２０の各部門間において様々な情報が流れているが、本実施例では、これら情報の正確で効率的な生成等ため、以下のごとき構成が採用されている。
【００２３】
すなわち、本実施例では、リネン材に読み書き可能なデータキャリアを付する。
【００２４】
図２は、このようなデータキャリアが付された衣服の具体例を示す外観図であるが、この例では、（ａ）に示すごとく、制服１のボタンの一つをデータキャリア２としている。（ｂ）に示すごとく、データキャリア２はボタン形状に構成され、ボタンと兼用されるようになっている。
【００２５】
ところで、この種の読み書き可能なデータキャリアは、非接触の、例えば電磁結合方式でＲ／Ｗ（リード・ライト）ヘッドによって読み書きされるもので、例えば図３に示すごとく、ゲート４にＲ／Ｗ（リード・ライト）ヘッド３が取り付けられているとすると、データキャリア２が取り付けられた制服１がゲート４のＲ／Ｗ（リード・ライト）ヘッド３の前を通過するとき、Ｒ／Ｗ（リード・ライト）ヘッド３によって読み書きされる。
【００２６】
なお、Ｒ／Ｗ（リード・ライト）ヘッド３のデータキャリア２への読み書きは、Ｒ／Ｗ（リード・ライト）ヘッド３に接続されたヘッドコントローラ（図示せず）によって行われるが、データキャリア２やＲ／Ｗ（リード・ライト）ヘッド３およびヘッドコントローラの構成そのものは本発明の要旨と直接関係ないので、それらの詳細説明は省略する。
【００２７】
ところで、本システムでは、ボタンの１つとしてボタン兼用のデータキャリア２が取り付けられた制服１は、繊維製品販売業者３０からリネンサプライ業者２０に納品された後、さらに病院１０に納品され、その後は洗濯に耐えられる耐洗数に至るまで、リネンサプライ業者２０に繰り返しクリーニングに出されるが、本システムではその都度、制服１のデータキャリア２への読み書きが行われる。
【００２８】
図４は、こうして読み書きの行われるデータキャリア２の一例を示すメモリマップであるが、メモリマップ４０は、書き替え不能な固定データ部分５０と、書き替え可能な非固定データ部分６０を有し、非固定データ部分６０は回数データ（６０−１）と日時データ（６０−２）を有している。
【００２９】
固定データ部分５０には、病院名データ５１、サイズデータ５２、科データ５３、使用者名データ５４、使用開始日データ５５が含まれ、非固定データ部分６０の回数データ（６０−１）には洗浄回数データ６１、染み抜き回数データ６２、補修回数データ６３が含まれ、非固定データ部分６０の日時データ（６０−２）には、前回病院納入日時データ６４、病院回収日時データ６５、工場受入日時データ６６、工場内作業開始日時データ６７、工場内作業終了日時データ６８、工場出荷日時データ６９、病院納入日時データ７０が含まれている。
【００３０】
従って、病院１０、リネンサプライ業者２０および繊維製品販売業者３０は上記のごときデータキャリア２内のデータを用いて、様々な情報を得ることができ、これによって、各業者はそれらの情報を様々な利用に供することができるが、以下リネンサプライ業者２０がそれらの情報を利用する場合について説明する。
【００３１】
リネンサプライ業者２０の各部門の各所にはデータキャリア２のＲ／Ｗ（リード・ライト）ヘッド３が備えられており、工場２２の各所にもＲ／Ｗ（リード・ライト）ヘッド３が備えられている。そして、例えば、データキャリア２が取り付けられた制服１が工場２２に受け入れられて出荷されるまでには、以下の工程時間がある。
（１）荷分け待ち時間
（２）荷分け時間
（３）トンネルフィッシャー時間
（４）仕上げ待ち時間
（５）仕上げ時間
（６）荷分け待ち時間
（７）荷分け時間
【００３２】
ここで、（１）の荷分け待ち時間は、データキャリア２の日時データ（６０−２）の工場受入日時データ６６から工場内作業開始日時データ６７までの経過時間を調べることによって分かる。（２）から（７）までの時間も同様である。なお、図４に示したメモリマップ４０のデータ構成は一例であり、日時データ（６０−２）に示したデータ項目も一例であって、（２）から（７）までの時間を計測できるデータ項目を設けることによって（２）から（７）までの時間を計測できる。
【００３３】
従って、３つの客先Ａ，Ｂ，Ｃについて、（１）から（７）までの平均時間を調べて、図５に示すごとき計測データ８０を得ることができる。
【００３４】
そして、この計測データ８０から、（イ）どの工程で滞留しているかが分かり、（ロ）生産量を増やしたときの設備の負荷を予測でき、（ハ）設備改善の基礎データとすることができる。
【００３５】
こうして、本システムでは、図５に示すごとき計測データ８０を得ることによって、工場２２の生産性の向上を図ることができる。
【００３６】
次に、リネンサプライ業者２０は、データキャリア２の各データより、図６に示すごとき、
（ａ）回収配送時間データ
（ｂ）工場滞在時間データ
（ｃ）出荷配送時間データ
（ｄ）病院滞在時間データ
（ｅ）耐洗数データ
を得ることができる。
【００３７】
ここで、（ａ）の回収配送時間データは、図４に示したメモリマップ４０の日時データ（６０−２）より、病院回収日時データ６５から工場受入日時データ６６までの経過時間により計測でき、（ｂ）の工場滞在時間データは日時データ（６０−２）より、工場受入日時データ６６から工場出荷日時データ６９までの経過時間により計測でき、（ｃ）の出荷配送時間データは日時データ（６０−２）より、工場出荷日時データ６９から病院納入日時データ７０までの経過時間により計測でき、（ｄ）の病院滞在時間データは、日時データ（６０−２）より、前回病院納入日時データ６４から病院回収日時データ６５までの経過時間により計測できる。
【００３８】
また、（ｅ）の耐洗数データは、回数データ（６０−１）のうちの積算更新された最後の洗浄回数データ６１より得ることができる。また、回数データ（６０−１）の洗浄回数データ６１、染み抜き回数データ６２、補修回数データ６３を総合的に判断して得ることもできる。
【００３９】
こうして、（ａ）から（ｅ）までのデータが得られると、例えばこれらのデータの平均値や標準偏差等を求めて、（ａ）´平均回収配送時間、（ｂ）´平均工場滞在時間、（ｃ）平均出荷配送時間、（ｄ）平均病院滞在時間、（ｅ）平均耐洗数を求め、これらのデータを分析することによって、（ィ）一枚の制服のクリーニングに要する正確なコスト、（ロ）制服寿命の直前の交換案内等を行うことができる。
【００４０】
また、以上の説明では、本発明を病院の医師や看護婦が使用する制服（リネン材）を回収する回収システムに付いて説明したが、本発明はこれらに限定されず、その他さまざまな分野の衣服の回収システムや管理システムに適用できることは勿論である。
【００４１】
【発明の効果】
以上の説明から明らかなように、この発明では、以下の効果を奏する。
【００４２】
（１）衣服に取り付けられたデータキャリア情報から、回収された衣服がどの工程で滞留しているかが分かり、設備改善の基礎データとすることができる。
【００４３】
（２）また（１）の情報から、生産量を増やしたときの設備の負荷を予測でき、設備改善の基礎データとすることができる。
【００４４】
（３）データキャリア情報から平均耐洗数等の各種データを求めることができ、これらのデータを分析することによって、一枚の制服のクリーニングに要する正確なコスト、制服寿命の直前の交換案内等を正確に、かつ自動的に行うことができる。
【図面の簡単な説明】
【図１】この発明に係るシステムの全体的な構成を示すブロック図。
【図２】衣服にボタン兼用のデータキャリアを取り付けた場合の説明図。
【図３】図２に示したデータキャリアに対してＲ／Ｗ（リード・ライト）ヘッドがデータの読み書きをする場合の説明図。
【図４】データキャリアのデータ構造を示すメモリマップ図。
【図５】本システムを用いて所用のデータが得られる場合の説明図。
【図６】同じく本システムを用いて所用のデータが得られる場合の他の説明図。
【符号の説明】
１  制服
２  データキャリア
３  Ｒ／Ｗ（リード・ライト）ヘッド
４  ゲート
１０  病院
２０  リネンサプライ業者
２１  営業部門
２２  工場部門
２３  集配部門
２４  在庫部門
３０  繊維製品販売業者
４０  メモリマップ
５０  固定データ部分
５１  病院名データ
５２  サイズデータ
５３  科データ
５４  使用者名データ
５５  使用開始日データ
６０  非固定データ部分
（６０−１）  回数データ
（６０−２）  日時データ
６１  洗浄回数データ
６２  染み抜き回数データ
６３  補修回数データ
６４  前回病院納入日時データ
６５  病院回収日時データ
６６  工場受入日時データ
６７  工場内作業開始日時データ
６８  工場内作業終了日時データ
６９  工場出荷日時データ
７０  病院納入日時データ
８０  計測データ
【図１】
0003761924.tif 000002
【図２】
0003761924.tif 000003
【図３】
0003761924.tif 000004
【図４】
0003761924.tif 000005
【図５】
0003761924.tif 000006
【図６】
0003761924.tif 000007